(57)【特許請求の範囲】
【請求項１】
ねじ式ボトル内で飲料を作るためのキャップであって、前記キャップは、内キャップ（１）、外キャップ（２）、および香料容器（４）を備え、前記内キャップ（１）が、雄ねじ部（５）と、ボトルの口部のねじ部に適合する雌ねじ部（６）とを有し、前記外キャップ（２）が、前記内キャップ（１）の前記雄ねじ部（５）に適合する雌ねじ部（７）を有し、前記キャップは、前記キャップが前記ボトルの前記口部にねじ込まれるときに、前記香料容器（４）を前記ボトル内に向けて開口するための第１放出具（８）を備え、
前記キャップは、炭酸ガス容器（３）と、前記外キャップ（２）および前記内キャップ（１）が互いに対してねじ込まれるときに、前記炭酸ガス容器（３）を前記ボトル内に向けて開口するための第２放出具（９）とを備えることを特徴とする
キャップ。
【請求項２】
前記キャップは、前記内キャップ（１）が前記ボトルの前記口部にねじ込まれるときに、前記内キャップ（１）および前記外キャップ（２）が、互いに対してねじ込まれることを防止するために、ねじ固定機構（１０）を備えることを特徴とする請求項１記載のキャップ。
【請求項３】
前記ねじ固定機構（１０）は、互いに対してねじ込まれた前記内キャップ（１）および前記外キャップ（２）が、ともに前記ボトルの前記口部から外れるようにねじ回されるときに、ねじ込みが緩むことを防止するように構成されることを特徴とする請求項２記載のキャップ。
【請求項４】
突起部（１１）およびエッジ状部材（１２）が、前記内キャップ（１）のエッジ状部材（１２）とともに、前記ねじ固定機構（１０）の一部を形成するために、前記外キャップ（２）の内側表面上に設けられることを特徴とする請求項２または３記載のキャップ。
【請求項５】
前記ねじ固定機構（１０）は、前記内キャップ（１）が、先ず、前記ボトルの前記口部の周りにねじ込まれて初めて、前記外キャップ（２）が前記内キャップ（１）に対してねじ込まれるように構成されることを特徴とする請求項２〜４のいずれか１項に記載のキャップ。
【請求項６】
前記第２放出具（９）は、前記外キャップ（２）および前記内キャップ（１）が互いに対してねじ込まれるときに、前記炭酸ガス容器（３）を開口するために、前記炭酸ガス容器（３）内へと穿刺するように構成される穿刺部材（１３）を備え、前記穿刺部材（１３）は、炭酸ガスを前記ボトル内へと送るために、前記内キャップ（１）を通過して延びる開口部（１４）を有することを特徴とする請求項１〜５のいずれか１項に記載のキャップ。
【請求項７】
前記穿刺部材（１３）のヘッド（１５）は、円錐台状の形状であることを特徴とする請求項６記載のキャップ。
【請求項８】
前記キャップは、密閉するような方法での前記内キャップ（１）の前記ボトルの前記口部へのねじ込みを知らせるように構成されるインジケータ（１６）を備えることを特徴とする請求項１〜７のいずれか１項に記載のキャップ。
【請求項９】
ボトルにねじ込むことが可能であるキャップによって飲料を作るための方法であって、液体が、前記ボトル内に加えられ、内キャップ（１）、外キャップ（２）、および香料容器（４）を備える前記キャップを用いて、前記外キャップ（２）をねじ込むことにより前記ボトルの口部を前記内キャップ（１）で密閉することによって、前記ボトルが閉口され、同時に、前記香料容器（４）を開口し、香料を放出し、
前記キャップは、炭酸ガス容器（３）を備え、前記内キャップ（１）を用いて前記ボトルの前記口部を密閉したあとに、前記ボトルが上下逆さにされ、前記外キャップ（２）を同じ方向にさらにねじ込むことによって、炭酸ガスが、前記ボトルの液体空間に放出されることを特徴とする
方法。
【請求項１０】
前記内キャップ（１）による前記ボトルの前記口部の密閉が、前記キャップによって生成される信号によって知らされ、その後に前記ボトルが上下逆さにされ、前記信号が、視覚、触覚および聴覚の少なくとも１つに基づいていることを特徴とする請求項９記載の方法。
【発明の詳細な説明】
【技術分野】
【０００１】
本発明は、請求項１のプリアンブルに規定の飲料を作るためのキャップ、および請求項９のプリアンブルに規定の飲料を作るための方法に関する。
【背景技術】
【０００２】
飲料を作るために、様々な種類の香味剤および着色剤を水に加えることが知られている。既製品の飲料は、小売店から購入することができる。さらに、自宅で飲料を作るために、様々な種類の香味剤および着色剤を水に混合し、水に炭酸ガスを加えるための装置が知られている。
【０００３】
飲料を作るための既知の装置の問題は、そのコストである。ユーザは、装置に加えて、飲料に炭酸ガスを加えるための炭酸ガスのみならず、必要な香味剤も別個に購入しなければならない。炭酸ガス、ならびに香味剤および着色剤は、大型の包みで販売され、したがって、ユーザは、同じ味の飲料を大量に作らなければならない。
【０００４】
したがって、飲料を自宅で、様々な味の飲料を少量で作ることが可能であるように、容易かつ経済的に作ることを可能にする、飲料を作るための新たな装置を開発する必要がある。
【発明の概要】
【０００５】
本発明の目的は、上記の欠点を改善することである。
【０００６】
具体的には、本発明の目的は、ユーザが特定の香味剤を大型の包みで購入することを強いられることなく、様々な味の飲料を自宅で作ることを可能にする、飲料を作るための新しくかつシンプルなキャップを開示することである。
【０００７】
本発明の目的は、また、飲料を作る方法を開示することである。
【０００８】
本発明に係るキャップおよび方法は、請求項に提示される特徴によって特徴付けられる。
【０００９】
ねじ状ボトル内で飲料を作るための本発明に係るキャップは、内キャップ、外キャップ、および香料容器を備える。内キャップは、雄ねじ部と、ボトルの口部のねじ部に適合する雌ねじ部とを有し、外キャップは、内キャップの雄ねじ部に適合する雌ねじ部を有する。キャップは、キャップがボトルの口部にねじ込まれるときに、香料容器をボトル内に向けて開口するための第１放出具を備える。キャップは、炭酸ガス容器と、外キャップおよび内キャップが互いに対してねじ込まれるときに、炭酸ガス容器をボトル内に向けて開口するための第２放出具とを備える。
【００１０】
ボトルにねじ込むことが可能であるキャップによって飲料を作るための本発明に係る方法では、液体が、ボトル内に加えられ、内キャップ、外キャップ、および香料容器を備えるキャップを用いて、外キャップをねじ込むことによりボトルの口部を内キャップで密閉することによって、ボトルが閉口され、同時に、香料容器を開口し、香料を放出する。キャップは、また、炭酸ガス容器も含む。内キャップを用いてボトルの口部を密閉したあとに、ボトルが上下逆さにされ、外キャップを同じ方向にさらにねじ込むことによって、炭酸ガスが、ボトルの液体空間に放出される。
【００１１】
飲料を作るために使用されるボトルは、小売店で販売される通常の飲料用ボトルであってもよい。一実施形態では、ボトルは、５００ミリリットルの飲料用ボトルである。ボトルは、他の任意の容量であってもよく、香料容器内の香料の量および炭酸ガス容器内の炭酸ガスの量は、ボトルの液体容量に比例する。さらに、飲料の濃度は、液体容量によって調節することができる。
【００１２】
一実施形態では、内キャップおよび外キャップは、プラスチック製である。内キャップの雄ねじ部とは、内キャップの外側表面上のねじ部を指す。同様に、内キャップまたは外キャップの雌ねじ部とは、内キャップまたは外キャップの内側表面上のねじ部を指す。内キャップの雌ねじ部は、内キャップがボトルの口部にねじ込まれることが可能であるように、ボトルの口部のねじ部に適合する。内キャップの雄ねじ部と、外キャップの雌ねじ部とは、外キャップが内キャップにねじ込まれることが可能であるように、互いに対して適合する。
【００１３】
一実施形態では、香料容器は、プラスチック製である。香料容器は、内キャップまたは外キャップの一体部分であってもよいし、または別個の部分であってもよい。一実施形態では、香料容器は袋である。香料容器は、香料に加えて、着色剤または添加剤など、他の物質も含んでもよい。香料容器は、使用されるボトルの液体容量に比例する量の一回分の香味剤、着色剤、および／または添加剤を保持する。組立済みのキャップでは、香料容器は閉口される。香料容器は、キャップがボトルの口部にねじ込まれるときに開口し、香料がボトル内に流入する。
【００１４】
炭酸ガス容器は、炭酸ガスを含む。一実施形態では、炭酸ガス容器は金属製である。
【００１５】
第１放出具の目的は、キャップがボトルの口部にねじ込まれるときに、香料をボトル内に放出するために、香料容器を開口することである。一実施形態では、第１放出具は、また、キャップがボトルの口部にねじ込まれる前に、香料容器を閉口する。一実施形態では、第１放出具は、キャップがボトルの口部にねじ込まれていないときに、香料容器の基部に設けられる開口部を閉口し、密閉するような方法でキャップがボトルの口部にねじ込まれるときに、香料容器の基部の香料開口部を開口するシールリングである。
【００１６】
第２放出具の目的は、内キャップおよび外キャップが互いに対してねじ込まれるときに、炭酸ガスがボトル内に放出されるように、炭酸ガス容器を開口することである。一実施形態では、第２放出具は、内キャップの一体部分である。一実施形態では、第２放出具は、別個の構成要素であり、内キャップの一部ではない。
【００１７】
一実施形態では、キャップは、内キャップがボトルの口部にねじ込まれるときに、内キャップおよび外キャップが互いに対してねじ込まれることを防止するために、ねじ固定機構を備える。
【００１８】
一実施形態では、ねじ固定機構は、互いに対してねじ込まれた内キャップおよび外キャップが、ともにボトルの口部から外れるようにねじ回されるときに、ねじ込みが緩むことを防止するように構成される。炭酸ガスがボトル内に放出されているとき、ねじ固定機構は、内キャップおよび外キャップが互いに対してねじ込まれないように、内キャップおよび外キャップを互いに対して固定し、それによって、キャップ全体を一体としてボトルの口部から取外すことを可能にする。
【００１９】
一実施形態では、ねじ固定機構は、内キャップの外側表面上、および外キャップの内側表面上の突出部およびエッジ状部材を適合させるものとして具体化される。一実施形態では、突出部およびエッジ状部材は、内キャップの雄ねじ部、および外キャップのめ雌ねじ部に配置される。一実施形態では、突出部は、傾斜するように形成される。突出部およびエッジ状部材は、柔軟性があり、形状およびサイズにおいて、互いを通過して摺動可能となるように構成される。突出部およびエッジ状部材の剛性、形状、およびサイズは、ボトルの口部が内キャップによって密閉される前に、内キャップおよび外キャップの互いに対するねじ込みを防止するように構成される。突出部およびエッジ状部材の形状は、内キャップおよび外キャップの互いに対する一方の方向でのねじ込みを可能にしながらも、内キャップおよび外キャップの互いに対する反対方向でのねじ込みを防止する。一実施形態では、エッジ状部材は、内キャップの外側表面上、または外キャップの内側表面上で、一対ごとにグループ化され、合わせ面上の突出部が、一対のエッジ状部材の間で固定される。
【００２０】
一実施形態では、ねじ固定機構は、内キャップが、先ず、ボトルの口部の周りにねじ込まれて初めて、外キャップが内キャップに対してねじ込まれるように、内キャップの雄ねじ部と、外キャップの雌ねじ部との締め付けを設計することによって構成される。一実施形態では、外キャップおよび内キャップが互いに対してねじ込まれる前に、ボトルの口部が、内キャップによって密閉されるようにボトルのねじ部と内キャップの雌ねじ部との間の締め付けは、内キャップの雄ねじ部と外キャップの雌ねじ部との間の締め付けよりも小さい。
【００２１】
一実施形態では、第２放出具は、外キャップおよび内キャップが、互いに対してねじ込まれるときに、容器を開口するために、炭酸ガス容器内へと穿刺するように構成される穿刺部材を備え、穿刺部材は、炭酸ガスをボトル内へと送るために、内キャップを通過して延びる開口部を有する。穿刺部材の長さおよび位置は、内キャップおよび外キャップが互いに対してねじ込まれるときに、穿刺部材が炭酸ガスカプセルを開口するために充分なところまで延びることを可能にするように設計される。
【００２２】
一実施形態では、穿刺部材は金属製である。一実施形態では、穿刺部材はプラスチック製である。穿刺部材は針であってもよい。一実施形態では、穿刺部材は、中空構造であり、炭酸ガスは、穿刺部材の開口部を通過し、穿刺部材の開口部に接続される内キャップの開口部を通過して、ボトル内へと送られる。一実施形態では、内キャップの開口部の直径は、０．３〜０．７ｍｍである。一実施形態では、内キャップの開口部の直径は、０．４〜０．６ｍｍである。一実施形態では、内キャップの開口部の直径は、０．５ｍｍである。内キャップの開口部の直径によって、炭酸ガスが炭酸ガス容器から放出される速度を、そして飲料の炭酸化を調節することが可能である。内キャップの開口部の直径が０．５ｍｍである場合、ボトル内の液体は、十分に炭酸化される。一実施形態では、穿刺部材の開口部の直径は、内キャップの開口部の直径よりも大きい。
【００２３】
一実施形態では、穿刺部材のヘッドは、円錐台状の形状である。一実施形態では、穿刺部材は、円錐台状の形状である。穿刺部材のヘッドは、内キャップおよび外キャップが互いに対してねじ込まれるときに、炭酸ガス容器を穿刺するために、鋭角に傾斜される。一実施形態では、穿刺部材の円錐台形状のヘッドの表面は、穿刺部材の中心軸に対して１５〜２５度の角度である。一実施形態では、穿刺部材の円錐台形状のヘッドの表面は、穿刺部材の中心軸に対して２０度の角度である。一実施形態では、穿刺部材のヘッドは、傾斜した切断面を有して鋭角に切断される。
【００２４】
一実施形態では、キャップは、密閉するような方法での内キャップのボトルの口部へのねじ込みを知らせるように構成されるインジケータを備える。インジケータは、たとえば、視覚、触覚、または聴覚に基づく信号を送る。キャップのユーザは、信号によって、ボトルが炭酸ガスを放出するために上下逆さにされ得るように、充分に密閉するような方法で、内キャップがボトルの口部にねじ込まれていることがわかる。ボトル内の液体が炭酸化されるために、ボトルは、炭酸ガスを放出する前に、上下逆さにされなければならない。ボトルが上下逆さになっている間に、炭酸ガスがボトルの液体空間内に放出されると、ボトル内の液体が効率的に炭酸化される。炭酸ガスは、ボトル内の液体中に溶け、その結果、炭酸ガスと水が反応すると、炭酸が形成される。
【００２５】
一実施形態では、内キャップによるボトルの口部の密閉は、キャップによって生成される信号により知らされ、その後にボトルが上下逆さにされる。
【００２６】
上記の本発明の実施形態は、自由に、互いに組み合わされてもよい。新しい実施形態を形成するために、いくつかの実施形態が組み合わされてもよい。本発明の目的であるキャップまたは方法は、本発明の上記実施形態の１つまたは複数を含んでもよい。
【００２７】
本発明による飲料を作るためのキャップおよび方法は、先行技術に対し大きな利点を提供する。本発明によるキャップによって飲料を作ることは、非常にシンプルである。本発明によるキャップおよび方法を用いて飲料を作るには、キャップ、飲料水、および小売店から入手できる通常の飲料用ボトルを必要とするのみである。つまり、ユーザは、大量の既製の飲料を持ち帰る必要がない。さらに、ユーザは、飲料を作るために、大量の炭酸ガス、または香味剤および着色剤を購入することを強いられない。キャップのユーザは、特定の製造業者のボトルに制限されない。その上、本発明によるキャップは安価である。ユーザは、一度に１つ分のみの特定の味の飲料のボトルを購入し、作ることが可能である。
【００２８】
本発明を、以下において、例として実施形態を図示する添付の図面を参照して説明する。本発明は、図面の実施形態に限定されない。
【図面の簡単な説明】
【００２９】
【図１】一実施形態による外キャップを図示する。
【図２】一実施形態による内キャップを図示する。
【図３】基部から見た、一実施形態による内キャップを図示する。
【図４】基部から見た、一実施形態による内キャップおよびシールリングを図示する。
【図５】ボトルの口部へのキャップのねじ込みの前の、一実施形態によるキャップを図示する。
【図６】香料容器が開口する位置でボトルの口部にねじ込まれた、一実施形態によるキャップを図示する。
【図７】炭酸ガス容器が開口する位置でボトルの口部にねじ込まれた、一実施形態によるキャップを図示する。
【発明を実施するための形態】
【００３０】
図１は、一実施形態による外キャップ２を図示する。外キャップ２の内側表面には、内キャップ１の雄ねじ部５に適合する雌ねじ部７が設けられる。さらに、突起部１１およびエッジ状部材１２が、外キャップ２の内側表面上に設けられ、内キャップ１のエッジ状部材１２とともに、ねじ固定機構１０の一部を形成する。図１によると、外キャップ２には三条ねじが設けられているが、他の数のねじ山があってもよい。図１によると、外キャップ２内の突起部１１およびエッジ状部材１２の数は３つであるが、他の数の突起部１１およびエッジ状部材１２があってもよい。
【００３１】
図２は、一実施形態による内キャップ１を図示する。内キャップ１の外側表面には、外キャップ２の雌ねじ部７に適合する雄ねじ部５が設けられる。内キャップ１の外側表面には、また、エッジ状部材１２が設けられ、そのエッジ状部材１２は、図２による内キャップ１内で、一対ごとにグループ化され、外キャップ２の内側表面上の突起部１１およびエッジ状部材１２は、内キャップ１のエッジ状部材１２により形成される一対の間で固定される。組立済みのキャップでは、外キャップ２の突起部１１およびエッジ状部材１２は、内キャップおよび外キャップが、互いに対して一方向のみで、その反対方向には回らずにねじ込まれることを可能にするように、内キャップ１のエッジ状部材の第１の一対の間に設けられる。図２による内キャップ１は、二対のエッジ状部材１２により形成されるグループを３つ有し、すなわち、エッジ状部材の合計数は１２である。しかし、他の数のエッジ状部材があってもよい。
【００３２】
図３および図４は、基部２１から見た一実施形態による内キャップ１を図示する。外キャップ２の雌ねじ部７に適合する雄ねじ部５が、内キャップ１の外側表面上に設けられる。内キャップ１の外側表面上には、また、外キャップ２の突起部１１およびエッジ状部材１２とともにねじ固定機構１０を形成するエッジ状部材１２が設けられる。ボトル２０の口部のねじ部に適合する雌ねじ部６が、内キャップ１の内側表面上に設けられる。さらに、開口部２３が、炭酸ガス容器３からボトル２０内に炭酸ガスを放出するために、穿刺部材１３の開口部１４と直接並ぶように、内キャップ１の基部２１に設けられる。図５、図６、および図７に、穿刺部材１３およびその特定の位置が図示される。
【００３３】
図３では、内キャップ１の基部２１は、香料容器４からボトル２０内に香料を放出するための香料開口部２２を有する。図４において、香料開口部２２は、第１放出具８で覆われ、香料開口部２２は密閉される。第１放出具８の目的は、キャップがボトル２０の口部にねじ込まれるときに、香料容器４を開口することによって香料を放出することである。図４による内キャップ１では、第１放出具８は、基部２１の３つのすべての香料開口部２２を閉口するシールリング１７である。図４は、シールリング１７中の、区切部１９を図示し、区切部１９は、シールリング１７の他の部分よりも薄く、キャップがボトルの口部にねじ込まれるときに、区切部１９においてシールリング１７が裂ける。第１放出具８としてのシールリング１７の動作を、図６を参照して説明する。
【００３４】
図５、図６、および図７は、一実施形態によるキャップを図示する。図５には、ボトルの口部へのねじ込みの前のキャップが図示される。図６には、ボトル２０の口部が内キャップ１によって密閉され、香料容器４が開口するように、ボトル２０の口部にねじ込まれたキャップが図示される。図７には、外キャップ２および内キャップ１が、互いに対してねじ込まれ、炭酸ガス容器３が開口するように、ボトル２０の口部にねじ込まれたキャップが図示される。
【００３５】
図５、図６、および図７のキャップは、内キャップ１、外キャップ２、炭酸ガス容器３、および香料容器４を備える。内キャップ１は、香料容器４の壁部の一部を形成する。香料は、キャップがボトルの口部にねじ込まれるときに、香料容器４から、内キャップの基部２１の香料開口部２２を通って、ボトル内に放出される。雄ねじ部５、およびボトルの口部のねじ部に適合する雌ねじ部６が、内キャップに設けられる。内キャップ１の雄ねじ部５に適合する雌ねじ部７が、外キャップ２に設けられる。キャップは、図５、図６、および図７による実施形態においてはシールリング１７である第１放出具８を備える。
【００３６】
さらに、キャップは、図５、図６、および図７による実施形態においては、中央開口部１４を有する穿刺部材１３である第２放出具９を備える。穿刺部材１３の開口部１４は、内キャップ１内の開口部２３を通過し、ボトル２０内へと延びる。穿刺部材１３のヘッド１５は、鋭角に傾斜し、円錐台状の形状である。穿刺部材１３は内キャップ１内に組み込まれ、その向きと長さは、内キャップ１および外キャップ２が、ボトル２０内に炭酸ガスを放出するように互いに対してねじ込まれるときに、穿刺部材１３が炭酸ガス容器３を穿刺するように構成される。
【００３７】
図５、図６、および図７に図示されるねじ固定機構１０は、内キャップ１がボトル２０の口部にねじ込まれる間に、外キャップ２および内キャップ１が、互いに対してねじ込まれることを防止する。ねじ固定機構１０は、また、キャップをボトル２０の口部から外れるようにねじ回される間に、互いに対してねじ込まれている内キャップ１および外キャップ２のねじ込みが緩むことを防止し、このようにしてキャップ全体が一体としてボトル２０の口部から外れるようにねじ回されることを可能にする。ねじ固定機構１０は、内キャップ１の外側表面上、および外キャップ２の内側表面上の突起部１１およびエッジ状部材１２を適合させるものとして具体化される。内キャップ１の外側表面上、および外キャップ２の内側表面上の突起部１１およびエッジ状部材１２は、図１〜４においてよりよく図示される。さらに、外キャップ２の雌ねじ部７と、内キャップ１の、適合する雄ねじ部５との間の締め付けが、ねじ固定機構１０の一部を形成してもよい。
【００３８】
図５、図６、および図７は、また、密閉するような方法での内キャップ１のボトル２０の口部へのねじ込みを知らせるように構成されるインジケータ１６を図示する。ねじ固定機構１０の突起部１１およびエッジ状部材１２は、図５、図６、および図７によるキャップのインジケータ１６として機能する。内キャップ１の外側表面上、および外キャップ２の内側表面上の突起部１１およびエッジ状部材１２は、図１〜４によりよく図示される。突起部１１およびエッジ状部材１２は、密閉するような方法での内キャップ１のボトル２０の口部へのねじ込みを、互いを通過して摺動すること、そして同時にクリック音をたてることによって知らせる。しかし、インジケータ１６は、図５、図６、および図７によるキャップにおいて図示されるものとは別の種類のものであってもよい。インジケータ１６は、たとえば、聴覚的または視覚的なものであってもよく、または触覚に基づくものであってもよい。インジケータ１６は、固定システム１０の一部である必要はない。
【００３９】
図５に図示されるキャップは、まだボトルの口部にねじ込まれておらず、そのため、香料容器４および炭酸ガス容器３は閉口されている。内キャップ１の基部２１の香料開口部２２は、第１放出具８によって閉口される。キャップは、この構成でユーザに供給される。
【００４０】
図６は、ボトル２０の口部が内キャップ１によって密閉され、香料容器４が開口するように、ボトル２０の口部にねじ込まれるキャップを図示する。キャップがボトルの口部にねじ込まれるとき、シールリング１７が裂け、内キャップ１の基部２１の香料開口部２２が開口することで、同時に香料容器４を開口させ、それによって香料容器４内に含まれる香料がボトル２０内に放出される。シールリング１７の引き裂きは、図６に図示されるように、シールリング１７の他の部分よりも厚く、キャップがボトル２０の口部にねじ込まれるときに、ボトル２０の口部開口部の上部に取り付けられるフランジ１８によって引き起こされる。さらに、炭酸ガスを放出するためにボトル２０を上下逆さにすることを可能にするために、シールリング１７のフランジ１８によって、内キャップ１が、密閉するような方法でボトル２０の口部にねじ込まれることが確保される。内キャップ１によるボトル２０の口部の密閉は、インジケータ１６がたてるクリック音により知らされる。
【００４１】
図７は、外キャップ２および内キャップ１が互いに対してねじ込まれ、炭酸ガス容器３が開口するように、ボトル２０の口部にねじ込まれたキャップを図示する。図７によるキャップでは、内キャップ１は、密閉するような方法でボトル２０の口部にねじ込まれ、さらに、外キャップ２および内キャップ１は、穿刺部材１３が炭酸ガス容器３を穿刺する程度まで、互いに対してねじ込まれる。炭酸ガスは、炭酸ガス容器３から、穿刺部材１３の開口部１４および内キャップ１の開口部２３を通過してボトル２０内に放出される。
【００４２】
本発明は、その実施形態の上記の例に限定されず、その代わり、多数の変形例が、請求項により定義される本発明の着想の範囲内で可能である。
【図１】
0006696999.tif 000002
【図２】
0006696999.tif 000003
【図３】
0006696999.tif 000004
【図４】
0006696999.tif 000005
【図５】
0006696999.tif 000006
【図６】
0006696999.tif 000007
【図７】
0006696999.tif 000008